Podtech/llm-jp-corpus-v4-ja_patent huggingface dataset:
(57)【要約】【課題】  風呂壁の清掃のための労力や湯水の使用を極力減らすために、風呂壁自体に石鹸泡や垢・皮脂の汚れが付着しないように、また壁からカビが発生しないことを目的とする。【解決手段】  風呂壁にシートを貼り付けるか、シートの上辺に取り付けた外枠から紐で吊り下げるか、四方を外枠で囲んだシートを立て掛けることによって、石鹸泡・垢・皮脂汚れなどが風呂壁に付着しないようにすれば、一切汚れずカビが生えることもなく、風呂壁の清掃時間や労力水の使用量が激減する。  また、シートには透明のほか、無地、模様，紋様、色、柄、絵、写真、文字、図形、記号、英数字、単語などを印刷しておくことで、気分転換や学習に資することができる。【選択図】図１
2016041895.tif 000002
【特許請求の範囲】
【請求項１】
風呂、浴室、洗い場の壁に適切な大きさのシートを貼り付けるか、上辺に外枠を取り付けたシートを壁の手摺やフックなどに吊るし掛けるか、四方を外枠で囲んだシートを壁に立て掛けることにより、風呂壁に石鹸泡やシャワーの飛沫に含まれる垢や皮脂汚れが付着しないように、また壁からカビが生えるのを防ぐことを特徴とする。
【請求項２】
シートは透明のほか、無地、模様，紋様、色、柄、絵、写真、文字、図形、記号、英数字、単語などを印刷しておくことで、気分転換や学習に資することを特徴とする。
【請求項３】
シートは簡単に取り替えられることを特徴とする。
【発明の詳細な説明】
【技術分野】
【０００１】  この発明は、風呂の壁にシートを貼り付けたり、壁に吊り下げたり、壁に立て掛けたりすることで、入浴時に石鹸泡やシャワーで飛び散るお湯に含まれる垢や皮脂が壁に付着することを防ぎ、それらで汚れた風呂壁からカビが発生することを防止するものである。
【背景技術】
【０００２】  従来は各家庭の風呂の洗い場は体の垢や皮脂を洗い流す場所であるが、その際の壁に飛び散る汚れに対しての対策が講じられていなかった。そのため風呂壁を清掃するために、風呂上がり前に３分間程度湯水を周囲の壁に掛け流しながら擦り洗いをするとなると、それを毎日行うと１００日で３００分間、３００日で９００分間＝１５時間の清掃労力と湯水を流し続けることとなっていた。代わりに週末のみや年末のみの清掃にした場合、かかる時間と労力と使用する湯水の量はほぼ等しく、それ以上にカビが生えたり、汚れがこびり付いて擦るだけでは落とせなくなってしまった場合は洗剤等を購入せねばならず、余計に費用もかかり、排水も汚染されることとなっていた。
【発明の概要】
【発明が解決しようとする課題】
【０００３】  風呂の洗い場の壁には石鹸泡やシャワーのお湯が飛び散り、その中に含まれる垢や皮脂が汚れとなり、それを放置すればやがてカビまでが生え、頑固な汚れやカビを落とすためには、湯水を流しっ放しにしながら壁を擦り続けねばならず、時には強力な洗剤を使用して排水の水質を汚染し、水資源の無駄遣いと多大な清掃労力を費やすものであった。
【課題を解決するための手段】
【０００４】    洗い場の周囲の風呂壁の汚れが飛散しやすい部分に汚れ防止のシートを貼り付けるか、壁から吊り下げるか、壁に立て掛けるかして壁が汚れないようにする。
【発明の効果】
【０００５】    風呂の壁を清潔に保とうとする場合、風呂上がり前に３分間程度湯水を壁に掛け流しながら擦り洗いをすることになるが、これを毎日行うと１００日で３００分間、３００日で９００分間＝１５時間の清掃労力と湯水を使うこととなる。代わりに週末のみ年末のみの清掃にした場合でも、かかる時間と労力と使用する湯水の量はほぼ等しく、それ以上にカビが生えたり汚れがこびり付いた場合には洗剤等を購入せねばならず余計な費用がかかり、排水の水質も汚染される。
そこでこのシートを貼り付け・壁掛け・立て掛けるならば、風呂壁は一切汚れず、シートにサッと水をかけるだけで泡などは流れ去るため、時間も労力も水資源も無駄遣いすることが無く、余計な洗剤を使用して下水を汚染することも無い。
もしシートが汚れた場合でも洗う手間は壁ほどにはかからないし、落ちないほどひどく汚れれば、シートを取り替えれば良い事で余程経済的である。
【図面の簡単な説明】
【０００６】
【図１】風呂壁にシートを貼り付けた場合の正面図である
【図２】風呂壁にシートを吊り下げた場合の正面図である
【図３】風呂壁にシートを立て掛けた場合の正面図である
【発明を実施するための形態】
【０００７】    ▲１▼壁にシートを貼り付ける場合、シートの全面か三方か四方の隅にある粘着部分を壁に貼り付ける。
▲２▼壁にシートを吊り下げる場合、シートの上辺に取り付けた外枠に付けたフックや紐を壁の手摺やフックなどに掛けて、シートを吊り下げる。
▲３▼上記のどちらもできない場合、シートの四方に取り付けた外枠ごと壁に立て掛ける。
【符号の説明】
【０００８】    １  タイル
２  タイル目地
３  風呂の床
４  シート本体
５  シートの貼り付け部分
６  シートに取り付けた上辺の外枠
７  風呂壁のフック
８  紐
９  シートを囲んだ外枠
１０  外枠に付けた掛けるためのフック
１１  壁掛けタオル用手摺
【図１】
2016041895.tif 000003
【図２】
2016041895.tif 000004
【図３】
2016041895.tif 000005
(57)【要約】【課題】  睡眠中ヘアカーラーをしていても、やわらかい素材で痛くない、寝ている間に毛先に大きなくるりんとしたカールができる、睡眠中にいたくない毛先くるりんカーラーを提供する。【解決手段】  形状は、円柱で中心部に空洞のないヘアカーラーの底面（１）から輪になったヘアゴム（２）がでている。もう片方の底面は、ヘアゴムをひっかける為の出っ張り（３）がでている。付属としてカーラーに髪を巻くときに、巻きこぼれや、ヘアゴムの跡がつかないように、カバー（４）を設けた、睡眠中にいたくない毛先くるりんカーラーを特徴とする。【選択図】図１
2016041228.tif 000002
【特許請求の範囲】
【請求項１】
円柱で中心芯部に空洞のないヘアカーラーの底面（１）から輪になったヘアゴム（２）がでている。もう片方の底面は、ヘアゴムをひっかける為の出っ張り（３）がでている。付属としてカーラーに髪を巻くときに、巻きこぼれや、ヘアゴムの跡がつかないように、カバー（４）を設けた、睡眠中にいたくない毛先くるりんカーラーである。
【発明の詳細な説明】
【技術分野】
【０００１】  この発明は、ヘアカーラーに巻きつけた髪ををホールドする為のホールド部分と、カーラーの中心の芯の部分に使われているプラスチック等の硬い素材は使用せず、やわらかい素材のみで製作した、髪の毛先にくるりんと大きなカールをつける為の、睡眠中にいたくない  毛先くるりんカールに関するものである。
【背景技術】
【０００２】    従来、睡眠中用のロッド型のスポンジ素材のヘアカーラーは、カーラーに巻きつけた髪をホールドする為のフレーム部分とカーラーの芯がプラスチック素材で痛かった。
睡眠中用としてプラスチック素材を使用していないスポンジ素材のみのボール状カーラーもあるが、これは、ボール状の半分の切れ目の部分に、髪をくるくると巻きつけるだけの形状なので、痛くはないが、ホールド力がまるで無いので、パーマっ毛の無い張りのある直毛を巻きつけた場合だと、髪が跳ね返り、すぐにカーラーが外れてしまう。パーマっ毛のある長髪を巻きつけた場合ボールの中心の細い部分に巻くので、絡まって取り外しづらく、取り外した時には、毛先がボサボサになってしまい、この形状ではきれいな、カールは、つくれなかった。
【発明の概要】
【発明が解決しようとする課題】
【０００３】これは次のような欠点があった。
（イ）睡眠中用のロッド型のヘアカーラーは、髪をホールドするフレーム部分と、芯の部分がかたい素材の為、寝ながらつけていると痛かった。
（ロ）他にも睡眠中用のボール型のヘアカーラーは、痛くはないが髪をホールドするフレームに当たる部分がないので、カーラーがすぐに外れてしまっていた。
本発明は、睡眠中にするヘアカーラーで、外れにくく、痛くない、やわらかい素材のみで製作し、セミロングからロングヘアの毛先にくるりんと大きなカールをつける為に、なされたものである。
【課題を解決するための手段】
【０００４】円柱形状で中心部に空洞のないのヘアカーラーの底面（１）から輪になったヘアゴム（２）がでていて、反対の底面には、ヘアゴムをひっかける為のでっぱり（３）がでている。付属品として髪の巻きこぼしがないようにと、ヘアゴムの跡がつかないように、カーラーに髪を巻きつけてから使用する為のカバー（４）を設ける。このカバーは、例えばパーマをかける時に、ロッドを一緒に巻くパーマ用ペーパーの様なものである。
本発明は、以上の構成よりなる、睡眠中にいたくない  毛先くるりんカーラーである。
【発明の効果】
【０００５】柔らかい素材のみなのでヘアカーラーをして寝ても痛くない。寝ている間に毛先に大きなくるりんとしたカールができる。
【発明を実施するための最良の形態】
【０００６】以下、本発明を実施する為の最良の形態について説明する。
形状は、円柱で中心部に空洞のないヘアカーラーの底面（１）から輪になったヘアゴム（２）がでている。もう片方の底面は、ヘアゴムをひっかける為の出っ張り（３）がでている。付属としてカーラーに髪を巻くときに、巻きこぼれや、ヘアゴムの跡がつかないように、カバー（４）を設ける。
材質は、ヘアカーラーに、使われるやわらかい材質が最良である。
【図面の簡単な説明】
【０００７】
【図１】本発明の正面図である。
【図２】本発明のカバー（４）をとりつけた場合の正面図である。
【符号の説明】
【０００８】１    ヘアカーラーの底面
２    ヘアカーラーの底面（１）からでている輪になったヘアゴム
３    ヘアカーラーの底面（１）とは反対側の底面のでっぱり部分
４    カバー
【図１】
2016041228.tif 000003
【図２】
2016041228.tif 000004
(57)【要約】【課題】表現したい形と色や模様で出来た製品を着ている服のボタンに冠せて蓋をする。パックボタンを提供する。【解決手段】希望の柄や形をほどこした本体（１）と蓋（２）でボタン（３）を包み込むことを特徴とする。【選択図】図１
2016041236.tif 000002
【特許請求の範囲】
【請求項１】
着色、印刷、成形等をした本体（１）と、一体又は、一体でない蓋（２）でボタン（３）を包み込むパックボタン。
【発明の詳細な説明】
【技術分野】
【０００１】この発明は、本体に絵、キャラクター、写真等を表現し蓋と共に服のボタンを取り込むパックボタンに関するものである。
【背景技術】
【０００２】従来、安く自分だけの新しいボタンを作るのに、ボタンに直接シールを貼ったり、マジックで書いていたり、苦労をしていた。
【先行技術文献】
【特許文献】
【０００３】
【特許文献１】
【発明の概要】
【発明が解決しようとする課題】
【０００４】これは次のような欠点があった。
（イ）製品化するのに時間が掛かりすぎた。
（ロ）新しい表現が簡単にできなかった。
（ハ）費用が掛かりすぎた。
（二）ボタンの着脱に時間が掛かる。
本発明は、以上のような欠点をなくすためになされたものである。
【課題を解決するための手段】
【０００５】着色、印刷、植毛、成形等で出来た本体（１）に一体又は分離した蓋（２）でボタン（３）をパックする。
本発明は、以上の構成よりなるパックボタンである。
【発明の効果】
【０００６】小量で安く作る事が出来たら、新しい作品がいっぱい市場に出て来る。
【図面の簡単な説明】
【０００７】
【図１】本発明の斜視図である。
【図２】本発明の断面図である。
【発明を実施するための形態】
【０００８】以下、本発明を実施するための形態について説明する。
印刷、装飾、成形等をした本体（１）に一体か分離した蓋（２）を設け、ボタン（３）をパックする。
本発明は、以上のような構造である。
これを使用するときは、服を着て止めたボタンに使用する。
【符号の説明】
【０００９】１  本体
２  蓋
３  ボタン
【図１】
2016041236.tif 000003
【図２】
2016041236.tif 000004
(57)【要約】      （修正有）【課題】高齢者の食事を介助するとき、大きめの食材を細かく切るため利き手に持っていた箸などをテーブルに置き、再び利き手でハサミやナイフを使用するため手間がかかる。それを解消するため利き手以外でも簡単に使用できる筒状のフードカッターを提供する。【解決手段】フードカッター本体１の一端に半円に形成された刃２を設け、筒状に形成する。【選択図】図１
2016041235.tif 000002
【特許請求の範囲】
【請求項１】
フードカッター本体（１）の一端に半円に形成された刃（２）を設け、筒状に形成されたフードカッター。
【発明の詳細な説明】
【技術分野】
【０００１】    この発明は、薄い金属板などで形成されたフードカッター本体の一端を半円に形成された刃を設け、刃が輪になるように筒状に形成されたフードカッターに関するものである。
【背景技術】
【０００２】      従来は、高齢者の食事を介護するとき大きめの食材を細かく切るために、利き手に持っていた箸などをテーブルに置き、再び利き手でハサミやナイフを使用していた。利き手で箸などを使用しながら利き手以外で簡単に使用できる介護用のフードカッターはなかった。
【先行技術文献】
従来は、高齢者の食事を介護するための専用フードカッターは無かった。
【特許文献】
【０００３】
【特許文献１】
【特許文献２】
【非特許文献】
【０００４】
【非特許文献１】
【非特許文献２】
【発明の概要】
【発明が解決しようとする課題】
【０００５】    従来の、高齢者の食事を介助するときに、大き目の食材を細かく切るためにハサミやナイフを使用していたが、利き手以外で使用することは扱いが難しく、利き手で使用していた箸などをテーブルに置き、再び利き手でハサミやナイフを使用することも多く、本人がひとりで普通に食事ができる場合でも、外食の際にはハサミやナイフの扱いが難しく手間が掛かるため、周囲の視線が気になる、などの難点があった。本発明は、この課題を解消するためになされたものである。
【課題を解決するための手段】
【０００６】    フードカッター本体（１）の一端に半円に加工された刃（２）を設け、筒状に形成する。
【発明の効果】
【０００７】      本発明の切る原理は、従来よりある、ピザなどをカットする際に使うローラー式のフードカッターと同じで、刃の部分が半円に形成されているため、左右にローリングさせることでローラー式と同じ効果が生まれる。ローラー式の切り口は直線だが、フードカッター全体を筒状にしたことで刃が輪になるため切り口は楕円形で、簡単に自分の思ったサイズに細かく切り分けることができる。
以下本発明の実施の形態について説明する。
（イ）、薄い金属板などに半円に形成された刃（２）を設け、接続部（３）が合わさるように筒状に形成されたフードカッター。
（ロ）、フードカッター本体（１）を筒状に形成したことで、半円に形成された刃（２）が輪になるため強度と全体の軽量化を図ることができる。
【図面の簡単な説明】
【０００８】
【図１】本発明の斜視図である。
【図２】本発明の本体を平らに開いた図である。
【符号の説明】
【０００９】１  フードカッター本体
２  半円に形成された刃
３  合わせ目
４  本体端末
５  端末での切り傷防護栓
【発明を実施するための形態】
【・・・・】
【実施例】
【・・・・】
【産業上の利用可能性】
【・・・・】
【符号の説明】
【・・・・】
【受託番号】
【図１】
2016041235.tif 000003
【図２】
2016041235.tif 000004
(57)【要約】【課題】商業関係での販売員を中心とした、どんな靴にでもとりつけできる側面安全カバーを提供する。【解決手段】市販されている靴の内部側面に、薄い棒状の素材を靴の内部と同じ素材で包んだものを入れて、足に対する側面からの衝撃を防ぐようにする。【選択図】図１
2016041231.tif 000002
【特許請求の範囲】
【請求項１】
市販されている靴に簡単に取り付けできて、足の側面を事故から防ぐためのものである。
【請求項２】
薄い棒状のステンレスなどの素材には、靴の内側と同じ素材が張り付けしてあり、足の指と直接固い素材があたらないようにしてある。
【発明の詳細な説明】
【技術分野】
【０００１】本発明は、足の側面からの衝撃を防ぐために、靴の中の側面に衝撃防御材を入れて、足の怪我を減らすためのものである。
【背景技術】
【０００２】従来は、足の上からの衝撃に対しての安全靴しかなかった。
【先行技術文献】
【０００３】
【特許文献１】特開  ２００５−４０５７１
【発明の概要】
【発明が解決しようとする課題】
【０００４】土木関係の仕事に多い足の上に物を落として足の怪我を防ぐ安全靴は以前から販売していたが、販売員に多いカゴ車を引っ張るときに誤って、足の側面を引いてしまう事故を防止する商品はなかった。
【課題を解決するための手段】
【０００５】靴の中の側面に手で曲げれる薄い棒状の形のステンレスなどの丈夫な素材を使い、
側面からの衝撃を防止する。また、足の指にステンレスなどの丈夫な素材が直接当たらないように靴の中と同じ素材を使い履き心地を良くした・
【発明の効果】
【０００６】安全靴の販売されているデザインは、主に男性用で女性用のデザインのものは皆無に等しい。この発明は、どんな靴にでも側面からの衝撃に対応できるものであり、商業用としての販売員が積極的に手軽に足の怪我を防止できるものである。
【図面の簡単な説明】
【０００７】
【図１】本発明の正面図である。
【図２】本発明の使用状態を示す断面図である。
【発明を実施するための形態】
【０００８】以下、本発明の実施の形態について説明する。
（イ）靴の内側に薄い棒状のステンレスなどの丈夫な素材を足の指の側面に入れる。
（ロ）薄い棒状のステンレスなどの丈夫な素材が直接、足にあたらないように靴の内部と      同じ素材を張り付けてある。
【符号の説明】
【０００９】１靴本体
２靴の中に入れる丈夫な棒状の素材
３靴の中と同じ素材
【図１】
2016041231.tif 000003
【図２】
2016041231.tif 000004
(57)【要約】【課題】  本発明は、ポンプを取り外すことなしに、別の補充口から簡単に内容液を補充できるポンプボトルを提供することにある。【解決手段】  ボトル内の内容液の最上位液面より上部に複数の開口部を備え、第一の開口部にはポンプを取り付け、第二の開口部は脱着可能な栓を有する構造としたことを特徴とするポンプボトルとする。【選択図】図１
2016041604.tif 000002
【特許請求の範囲】
【請求項１】
ボトル内の内容液の最上位液面より上部に複数の開口部を備え、第一の開口部にはポンプを取り付け、第二の開口部は脱着可能な栓を有する構造としたことを特徴とするポンプボトル。
【発明の詳細な説明】
【技術分野】
【０００１】
本発明は、シャンプーやリンスなどの内容液を簡単に補充できるポンプボトルに関するものである。
【背景技術】
【０００２】
本発明のポンプボトルは、ポンプを押下することにより内容液を排出できる容器を意味し、シャンプー、リンス、ボディーソープなどの洗剤等、アルコール消毒液、調味料などの容器として使用されている。
従来のポンプボトルでは内容液を補充するときにポンプを取り外す必要があるため、ポンプに付着した内容液を流出させてしまうという問題があった。
【０００３】
先行文献１にはゴム製の注入口を設け、その注入口に適合する補充容器で液体を充填するポンプボトルがあるが、補充容器が別に必要で構造が複雑であるという問題があった。
【先行技術文献】
【特許文献】
【０００４】
【特許文献１】特開２０１３−１３９２７５号公報
【発明の概要】
【発明が解決しようとする課題】
【０００５】
本発明は、ポンプを取り外すことなしに、別の補充口から簡単に内容液を補充できるポンプボトルを提供することにある。
【課題を解決するための手段】
【０００６】
本発明は、
１．ボトル内の内容液の最上位液面より上部に複数の開口部を備え、第一の開口部にはポンプを取り付け、第二の開口部は脱着可能な栓を有する構造としたことを特徴とするポンプボトル。
である。
本発明のポンプボトルとは、ポンプを押下することにより、ポンプの規定の量の内容液を取り出す効能を持つ容器である。ポンボトルの材質は合成樹脂、陶器、ガラス、ステンレスが好ましく、内容液による浸食が起きないものが好ましい。ポンプボトルの容量は２００〜１８００ｍｌが好ましく、さらに好ましくは３００〜７００ｍｌである。ポンプボトルの寸法は口内径が２０〜３０ｍｍ、首丈１５〜３０ｍｍ、胴径６０〜１００ｍｍ、全高１００〜３００ｍｍが好ましく、安定して自立し転倒しにくい形状が好ましい。
内容液にはシャンプー、リンス、ボディーソープなどの洗剤等、アルコール消毒液、調味料などを用いることができる。
本発明のポンプボトルの内容液の最上位液面とは、ポンプボトル使用時に内溶液を入れたときの最大の液面の高さを意味する。ボトル上部の形状がアーチ状など傾斜した箇所に開口部を設ける場合でも、最上位液面より上方に開口部を設けることにより、液体は下方に溜まる性質があるため、内容液を漏らすことなく補充することができる。
本発明のポンプボトルの複数の開口部とは、ポンプボトルの上面或いは上側面にポンプが取り付けられるねじ口である第一の開口部と、第二の開口部を意味し、この開口部は最上位液面より上部に設ける必要がある。第一の開口部には通常ポンプを取付け、第二の開口部には脱着可能な栓を取り付ける。この場合第二の開口部に取り付けた栓は簡単に取り外し可能であり、この開口部より内容液を補充することにより、ポンプを取り外す事による内容液の流出を防ぐことができる。
本発明の脱着可能な栓とは、ねじ式のフタ、ゴム製のキャップなどで、外部からの異物の混入や横転による内容液の流出を防ぐものを意味する。
本発明の複数の開口部とは通常２つ以上の開口部を意味するが、最低限２つあればよく、３つ以上設けてもかまわない。
【発明の効果】
【０００７】
本発明のポンプボトルは、ポンプを取り外すことなく内容液を簡単に補充でき、またポンプ以外の開口部の栓をすることで、外部からの異物の混入を防ぎ、ボトルの転倒による内容液の流出を防止する効果を有する。
【図面の簡単な説明】
【０００８】
【図１】図１はポンプボトルを示した説明図である。
【図２】図２はポンプボトルに内容液が充填された状態を示した説明図である。
【発明を実施するための形態】
【０００９】
ポンプボトルにポンプを取り外すことなく内容液を補充するという目的を、簡易な構造で、特別な注入器具を使用することなく実現したもので、次に実施例でもって説明する。
【実施例１】
【００１０】
プラスチックのボトルの上部に二つの開口部を設け、第一の開口部にはポンプを取り付け、第二の開口部は脱着可能なねじ式の栓を取り付けたもので、第２の開口部に取り付けたねじ式の栓を外して、シャンプーを内容液として充填した。
【００１１】
内容液の補充には、市販の詰め替え用シャンプーを使用した。詰め替え用シャンプーは合成樹脂の袋で密封されており、注ぎ口用に細くなった部分の合成樹脂を破ることで使用できるもので、ポンプボトルの開口部に適したサイズのため、内容液を従来のポンプを外した時と同じ感覚で補充することができた。
【００１２】
補充後第二の開口部にねじ式の栓をすることで、お湯などがかかる浴室でもボトル内に外部から液体が内部に入ることがなかった。またボトルを転倒させてしまった場合でも内容液のシャンプーが外部に流出することがなかった。
【産業上の利用可能性】
【００１３】
家庭用・業務用等でポンプボトルを使用することができる。
【符号の説明】
【００１４】
１    ポンプボトル
２    第一の開口部
３    第二の開口部
４    ポンプ
５    栓
６    最上位液面
【図１】
2016041604.tif 000003
【図２】
2016041604.tif 000004
(57)【要約】【課題】  最近、悪性腫瘍（癌）の治療には、抗癌剤の服用が行われている。抗癌剤としては、種々のものが開発されているが、どれも副作用が強くいろいろな問題があった。また、その抗癌効果もまだ完全ではない。このような副作用をなくするものとして、抗腫瘍効果を有するきのこやその他の食物も知られている。これらは食物であり副作用はないが、効果の点では医薬品と異なり明確ではない。そこで、本発明では、副作用がなく効果の優れた抗腫瘍剤を提供する。【解決手段】アガリスクを水素水によって抽出した抽出液を主成分とするもの、さらにそれをアルカリ性にしたもの。【選択図】  なし【特許請求の範囲】
【請求項１】
アガリスクを水素水によって抽出した抽出液を主成分とすることを特徴とする抗腫瘍剤。
【請求項２】
該水素水は、アルカリ性である請求項１記載の抗腫瘍剤。
【請求項３】
該水素水のｐＨは、８〜１０である請求項２記載の抗腫瘍剤。
【請求項４】
水素水１Ｌに対して、乾燥アガリスクを４〜２０ｇを浸漬して抽出したものである請求項１乃至３のうち１項に記載の抗腫瘍剤。
【発明の詳細な説明】
【技術分野】
【０００１】
本発明は、抗腫瘍剤に関するものである。
【背景技術】
【０００２】
最近の我が国の人の死亡原因の第１は、悪性腫瘍（癌）である。悪性腫瘍は、それを含める周囲組織を手術で切除することによって、治療されることが多い。しかし、腫瘍が広がり切除できない場合、またできるだけ手術をしたくない場合（糖尿その他、他の疾患がある場合や宗教的な理由等）は、抗癌剤の服用が行われている。
【０００３】
抗癌剤としては、特許文献１のようなもの等種々のものが開発されているが、どれも副作用が強くいろいろな問題があった。また、その抗癌効果もまだ完全ではない。
【０００４】
このような副作用をなくするものとして、抗癌効果を有するきのこやその他の食物も知られている（特許文献２参照）。これらは、食物であり、副作用はないが効果の点では上記した医薬品と異なり明確ではない。
【先行技術文献】
【特許文献】
【０００５】
【特許文献１】特開平１１−３４９４７８号公報
【特許文献２】特開２００４−５９５５８号公報
【発明の概要】
【発明が解決しようとする課題】
【０００６】
このような現状から、本発明では、副作用がなく効果の優れた抗癌剤を提供する。
【課題を解決するための手段】
【０００７】
以上のような状況に鑑み、本発明者は鋭意研究の結果本発明抗癌剤を完成したものであり、その特徴とするところは、アガリスクを水素水によって抽出した抽出液を主成分とする点にあり、さらに他の態様ではアルカリ性にする点にある。
【０００８】
ここで、アガリスクとは、霊之とも呼ばれるもので、ハラタケ属のキノコであり、中でもニセモリノカサがよい。これの子実体でも菌糸体のどちらでもよい。子実体の方が、効果の点では優れていた。子実体には、各種グルカン、ステロイド、食物繊維が含まれているためである。
乾燥品が好適である。
【０００９】
水素水とは、分子状水素（水素ガス）が多量に溶解した水である。通常は、水素ガスはほとんど解けていないため、水素ガスを溶解させたものである。水素ガスの溶解量は、特に限定はしないが、少なくとも０．５ｐｐｍ（常圧下で）以上は溶解していた方がよい。
また、好ましくは、後述する抽出操作の直前（１時間以内）に水素ガスを溶解したものがよい。
【００１０】
さらに、上記水素水は、アルカリ性が好ましい。特に、ｐＨ８〜１０が好適である。この理由は明らかではないが、アルカリの方が抽出効率がいいためとも考えられる。アルカリにするには、アルカリ剤（水酸化ナトリウム、炭酸カルシウム等）を加えても、直流電流でアルカリイオン水にしてもよい。
【００１１】
このようなアルカリ水素水は、専用の製造装置（すでに市販されているものがある）によって製造してもよい。勿論、ボトルで販売されているものでもよい。
【００１２】
抽出の方法は、上記したアガリスクを上記水素水に浸漬するだけでよい。量としては、水素水１Ｌに乾燥アガリスクを４〜２０ｇ（好ましくは５〜１５ｇ）を浸漬するのがよい。温度は常温でよい。
浸漬時間は、６時間から２４時間以上が好ましい。
【００１３】
この抽出液（固形分は除く）を、抗癌剤としては、１回２００ｍＬ程度を日に３回程度飲むのがよい。
【発明の効果】
【００１４】
本発明には次のような大きな利点がある。
（１）  癌患者が飲むと、癌が消滅することが多い。
（２）  癌が消滅しなくとも、大きくならないこともある。
【発明を実施するための形態】
【００１５】
以下実施例に従って本発明をより詳細に説明する。
ｐＨ９の水素水１Ｌに、乾燥アガリスクの子実体部分を１０ｇ浸漬して２４時間後、固形分を除去した。これは、市販の水素水製造装置によって製造したｐＨ９の水素水を使用したもので、水素ガス濃度は、約１ｐｐｍである。
【００１６】
この抽出液を、肺癌患者（ステージ３）に、１回２００ｍＬ、１日３回飲ませた。その結果、約１ケ月後の検査で、ほぼ腫瘍が消滅していた。
【００１７】
また、別の胃癌患者（手術可能な程度）に、１回２００ｍＬ、１日３回飲ませた。その結果、この患者も約３週間後の検査で、ほぼ腫瘍が消滅していた。
【００１８】
さらに、別の肺癌患者（ステージ２）に、１回２００ｍＬ、１日３回飲ませた。その結果、約５週間後の検査で、これもほぼ腫瘍が消滅していた。
【００１９】
勿論、飲んだ全員に効果があったわけではないが、効果の顕著な人も多く、一定の効果を発揮することは明らかだった。
(57)【要約】【課題】簡素で堅牢な基本構造を持ち、流体のエネルギーを電力に変換し、発電効率の向上と保守性の向上を実現し、単体のユニットを複数連結することで高出力を得るための発電システム構築を実現可能とする。【解決手段】管路内の流体のエネルギーを利用し、永久磁石を組込んだ翼付回転管を回転することで、組込まれた永久磁石が磁界を変化させる。これにより外殻管に配置したコイルによって電気を発生させる。これを１ユニットとし複数のユニットを連結することで高出力を得る。系統電気への接続には蓄電装置、ジェネレータ・サーキット・ブレーカ（遮断装置）を配置することで、安定した電力を安全に供給することを可能とする。【選択図】図５
2016113993.tif 000002
【特許請求の範囲】
【請求項１】
流体の位置エネルギーの変化を回転運動に変換し、直接永久磁石を回転させることで、流体が通過する管路自体を発電装置とする技術。
【請求項２】
上記請求項１の発電装置を複数連結して発電システムとする技術。
管路を利用し流速、流量の安定したエネルギーを管路内で回転運動に変換し、その回転によって永久磁石を回転させる。このことにより磁界の変化が生まれ、外殻管に配置したコイルにより発電する。この基本モジュールを複数連結することで、より高出力の発電システムとすることが可能になる。
【発明の詳細な説明】
【技術分野】
【０００１】
本発明は、流体のエネルギーを発電に利用するための基本技術である。
【背景技術】
【０００２】
流体の持つエネルギーを電力に変換するためにはこれまでの一般的な発電機の仕組みを転用する方法を採用しているものは存在するが発電効率、メンテナンス性の面で大規模な容量を必要とする発電システムでの実用化には至っていない。流体の持つエネルギーを電力として利用するためには流体に特化し効率を高め、低コスト化を実現していく技術が必要である。
【０００３】
しかし、流体の持つエネルギーを電力とするための構造として水車などを利用し回転運動を従来型の発電機に伝達する手法をとる場合、運動エネルギーの損失が多く効率化が図り難いという課題がある。本発明による発電部への運動エネルギーは同じく回転運動を利用するが、流体の流れにより直接永久磁石を回転させるため、回転運動を伝達するための損失を回避するため構造が簡素であり、製造コストも安価になり、かつ同様の理由からメンテナンス性も高いものとなる。
【０００４】
人工的に常に流体の位置エネルギーが変化し続ける水道網等の管路を利用することで安定した流速を確保し、必要な電力量を算出し、システム全体として管路の総延長から定格出力設定することが可能になる。
【０００５】
１ユニットあたりの出力と管路の総延長をシステム全体の定格出力とする。出力先の系統電気と同期させ、ジェネレータ・サーキット・ブレーカ（遮断装置）をつなぐことで安全に電気を送出する。
【先行技術文献】
【特許文献】
【０００６】
【特許文献１】特開２０１１−６４１９５号公報
【発明の概要】
【発明が解決しようとする課題】
【０００７】
解決しようとする問題点は、上記特許における課題は複雑性にあり、流体の持つエネルギーを電力に変換するまでの機械的なエネルギー損失、コスト高とメンテナンス性である。
【課題を解決するための手段】
【０００８】
本発明は、管路内の流体の位置エネルギーの変化を簡素な構造により電力を得るための回転運動を直接発電に利用することを主要な特徴とする。
【発明の効果】
【０００９】
本発明では外殻管にコイルを配置しその外殻管の内部を流れる流体の位置エネルギーの変化を、永久磁石を配置した翼付回転管を回転させることで、直接発電することが最大の利点である。
【図面の簡単な説明】
【００１０】
【図１】図１は翼付回転管の永久磁石の配置を示した断面図である。
【図２】図２は翼付回転管の永久磁石の配置を示した立体透視図である。
【図３】図３は外殻管のコイル配置を示した断面図である。
【図４】図４は外殻管のコイル配置を示した立体透視図である。
【図５】図５は外殻管に翼付回転管を組み合わせる配置を示した立体透視図である。（実施例１）
【発明を実施するための形態】
【００１１】
外殻管にコイルを配置することで堅牢性を高め、メンテナンス性も高めている。また、翼付回転管に直接永久磁石を配置することで翼付回転管が回転する際に磁界が変化し外殻に配したコイルが電力を発生させる。
【実施例１】
【００１２】
図５は、図３、図４の外殻管と図１、図２の翼付回転管を組み合わせた本発明装置の１実施例の図であって、外殻管にコイルを配置し、翼付回転管の永久磁石の及ぼす磁界の変化によって電力を発生させる機構である。これらを連結させることによる配管の総延長を基に本発電ユニットの総数から本発電システム全体の定格出力を算出する。システムにジェネレータ・サーキット・ブレーカ（遮断装置）を連結し安全に電力を供給する。また、蓄電装置と連結することでより安定的な電力の供給を可能とするものである。図示した翼付回転管は扇状を示しているが、螺旋構造を利用することも可能である。
【００１３】
最大出力は円管内を満水流れとし、定格出力に関する数値は、設置される管路により都度算出するものとし省略する。
また、遮断装置及び蓄電装置の連結に関しても一般的な系統への接続に必要な装置を用いるため省略する。
【００１４】
一般にコイルの巻き数と磁界の関係により電力を得る理論はこれまでの一般的に普及している発電装置と同様に物理法則に基づくものであるが、これまでの発電装置の多くでとられていたコイルを回転させ、外殻に永久磁石を配置する方式とは反対に管路内部で流体を移動させるエネルギーにより翼付回転管を回転させる。これにより翼付回転管に配置された永久磁石自体が回転し、外殻管に配置したコイルに及ぼす磁界が変化し、その変化により外殻のコイルが電力を発生させる方式となっている。
【産業上の利用可能性】
【００１５】
水道網などの流体を送出する管路を使用した発電。外殻管側にコイルを配置しているため、電力側のメンテナンス性も高く、機械的な連結も存在しないため、管路内の水の汚染および漏電を排除することが出来る。また、水道管路に発電システムとして配置する際には、濾過装置も同時に設置することで、水質も確保する。
電力網と水路網を整備、または再整備する際に同時に実現可能な技術である。
【符号の説明】
【００１６】
１    翼付回転管
２    永久磁石
３    回転翼
４    外殻管
５    コイル
【図１】
2016113993.tif 000003
【図２】
2016113993.tif 000004
【図３】
2016113993.tif 000005
【図４】
2016113993.tif 000006
【図５】
2016113993.tif 000007
(57)【要約】【課題】  スポーツの時・海水浴の時・避難生活の時、様々な場面で更衣室がない場所で着替えなければならないとき、人目を気にしながら着替えなければならなかった。  場所を選ばすに着替えが簡単にできるポンチョを提供する。【解決手段】  ナイロンなどで撥水加工を施され透けてはみえない薄手の素材の四角形の筒状の形状でコンパクトに折りたたむことができ、ゴム紐と紐ホルダーを設け、裏側に袖口とポケットを設けたことを特徴としたポンチョ【選択図】図１
2016113736.tif 000002
【特許請求の範囲】
【請求項１】
身体の部位を留めるゴム紐を紐ホルダーで調整し、裏側に表側からと裏側の両方から手及び腕を出し入れできる袖口とポケットのついたポンチョ。
【請求項２】
生地の素材は、ナイロンなどで撥水加工が施され透けてはみえない薄手の四角形で筒状の形状をしたポンチョ。
【請求項３】
コンパクトに折りたためて収納袋に入れて携帯できるポンチョ。
【発明の詳細な説明】
【技術分野】
【０００１】  本発明は、更衣室のない場所で着替えをするときに必要になるポンチョに関するものである。
【背景技術】
【０００２】  スポーツの時・海水浴の時・避難生活の時、様々な場面で更衣室がない場所で着替えなければならないことに直面したとき、バスタオルやトイレなどを利用している。
【先行技術文献】
【０００３】
【特許文献１】特許公開２０１４−１５２４１３
【発明の概要】
【発明が解決しようとする課題】
【０００４】  上着を着替える時、手及び腕の動きに制限があり、人目を気にしながら着替えなければならなく、また、かぶり物の服を脱ぎ着するのも思うようにできなかった。
また、パンツやスカートを履き替えるとき、パンツやスカートをウエスト部分まであげようとすると、脇の部分からみえてしまい思うように着替えができなかった。
本発明は、以上の問題点を解決するためになされたものである。
【課題を解決するための手段】
【０００５】  ポンチョの素材をナイロンなどで撥水加工が施され透けてはみえない薄手の四角形の筒状のものとし、身体の部位を留める紐をゴム紐にして紐ホルダーで調整する。
ポンチョの裏側に、表側からと裏側の両方から手及び腕の出し入れできるゴム紐が入った袖口を設け、着替えや着替え済みのものを入れられるポケットを設ける。
ポンチョは前身ごろと後ろ身ごろを判別しやすいように２色の生地で形成する。
コンパクトに折りたたんで収納できる収納袋を設ける。
以上の構成よりなるポンチョ
【発明の効果】
【０００６】  ２色の生地の色により前身ごろと後ろ身ごろが一目で判り、ポンチョを身体に装着し、固定する部分の紐をゴム紐にすることで、どんな体型の人にも対応し、かぶり物の服の時、紐がゴム紐のため伸縮自由自在となり簡単に脱ぎ着できる。
また、パンツやスカートに履き替えるときも、袖口から手を中に入れられることで、脇から覗かれることなくウエスト部分まであげられ、ボタンやファスナーを安心してできる。
ポンチョの素材がナイロンなどで撥水加工が施された薄手の素材なので、コンパクトに折りたたむことができ携帯に便利となる。
着替えるだけではなく、シート、防寒・雨具、または集団の中で身体を拭くことも、簡易トイレのカバーとしても使用可能となる。
【図面の簡単な説明】
【０００７】
【図１】本発明の斜視図
【図２】本発明の使用状態の斜視図
【発明を実施するための形態】
【０００８】  以下、本発明の形態を説明する。
（イ）  生地Ａ（５）と生地Ｂ（６）はナイロンなどで撥水加工が施され透けてはみ          えない薄手の四角形の筒状もので設ける。
（ロ）  装着する部分の紐をゴム紐（１）にして、紐ホルダー（２）で調節し留める          ように設ける。
（ハ）  袖口（３）から手及び腕を表側と裏側から両方から出し入れできるように設          ける。
（ニ）  袖口にもゴム紐（４）を設ける。
（ホ）  生地Ａと生地Ｂは違う色のもので設ける。
（ヘ）  裏側にポケット（７）を設ける。
（ト）  裏側のポケットの口にマジックテープ（８）を設ける。
（チ）  収納袋（９）を設ける。
本発明は以上のような構造である。
発明を使用するときは、裏側のポケット（７）に着替えを入れ、マジックテープ（８）で閉めておき、生地Ａ（５）と生地Ｂ（６）の違う色により、前身ごろと後ろ身ごろを判断し、ポンチョを身体に装着させる。装着する部分のゴム紐（１）を調節し紐ホルダー（２）で留める。
袖口（３）から手及び腕を表側と裏側から両方から出し入れしながら適宜使い着替える。また、袖口にもゴム紐（４）があることで隙間ができていないことを確認する。
脱いだ服などは、裏側のポケット（７）に入れ、マジックテープ（８）で閉じる。
着替えが終了したら、ポンチョを脱ぎ、ポケット（７）より着替えたものを別に収納し、生地Ａ（５）と生地Ｂ（６）はナイロンなどで撥水加工が施され透けてはみえない薄手のものなので、コンパクトに折りたたんで、収納袋（９）に入れる。
【符号の説明】
【０００９】表側    １ゴム紐、２紐ホルダー、３袖口、４袖口ゴム、５生地Ａ、６生地Ｂ
裏側    ３袖口、４袖ゴム、７ポケット、８マジックテープ
収納袋  １ゴム紐、２紐ホルダー、９収納袋
【図１】
2016113736.tif 000003
【図２】
2016113736.tif 000004
(57)【要約】【課題】使用者が椅子に座ったとき、膝掛けを掛ける必要が無く、椅子から離れるとき、膝掛けを片付ける必要の無い膝掛けであり、机を必要とせず、机の下の空間の様々な広さに対応できる膝掛けを提供する。【解決手段】手で塑性変形でき、かつ、自重に負けずに形を維持できる素材の骨を持つ膝掛けを、前方開口形状に塑性変形させ、椅子側に開口部分を開く。前方開口空間部に足を入れることにより、膝掛けが足に掛かり、前方開口空間部から足を出すことにより、膝掛けが外れる。容易に塑性変形できることから、机の下の空間に合わせて変形させることができ、机はなくてもよい。【選択図】図１
2016113707.tif 000002
【特許請求の範囲】
【請求項１】
容易に塑性変形でき、かつ、自重に負けずに形を維持できる素材の骨を持つ膝掛け。
【発明の詳細な説明】
【技術分野】
【０００１】
本発明は、膝掛けに関するものである。
【背景技術】
【０００２】
膝掛けは、椅子に座る際、布を広げて足に掛ける必要があり、椅子から離れる際、膝掛けを片付ける必要がある。これを解決する手段として、従来には、ひざ掛けを机の天板の下面に取付け、席を立った際に、ひざ掛けを椅子の背もたれ等に引っ掛けたりする必要がないようにしたものがある（特許文献１）。
【０００３】
特許文献１に記載のものでは、机を必要とする。
【先行技術文献】
【特許文献】
【０００４】
【特許文献１】特開２００２−６１０１０号公報
【発明の概要】
【発明が解決しようとする課題】
【０００５】
机を必要とせずに、使用者が椅子に座ったとき、膝掛けを掛ける必要が無く、椅子から離れるとき、膝掛けを片付ける必要の無い膝掛けを提供することである。
【課題を解決するための手段】
【０００６】
本発明は、手で塑性変形でき、かつ、自重に負けずに形を維持できる素材の骨を持つ膝掛けである。骨を手で曲げて前方開口空間形状を形作ることにより、膝掛けのみで、椅子に座った人のひざが出入り可能な前方開口状空間部を作り出すことができることから、机は不要である。骨は手で容易に塑性変形することから、机の下の空間に合わせて大きさを変えることができ、机の材質、大きさにかかわらず、使用できる。
【発明の効果】
【０００７】
（ａ）  席を外すときにひざ掛けを折畳んだり、席に戻るときに再度折畳んだひざ掛けを広げてひざに掛け直したりする必要がない。
（ｂ）  机がなくても、（ａ）の効果のある膝掛けを利用できる。
（ｃ）  机の材質、大きさに関係なく、（ａ）の効果のある膝掛けを利用できる。
【図面の簡単な説明】
【０００８】
【図１】図１は膝掛けの利用形態図である。（実施例１）
【図２】図２は膝掛けを平面に広げた構造図である。
【図３】図３は膝掛けの骨を様々な形に変形した例である。
【発明を実施するための形態】
【０００９】
手で塑性変形でき、かつ、自重に負けずに形を維持できる素材の骨に、膝掛けの生地を掛け、固定具によって固定する。机や椅子の高さに合わせて、骨を手で曲げ、椅子に座った人のひざが出入り可能な前方開口状空間部を形成する。前方開口状空間部に、ひざを出入りさせるだけで、膝掛けを掛けたり、畳んだりする必要がない。
【実施例１】
【００１０】
図１は、本発明の全体図である。
膝掛けの生地１が骨２に固定具３によって固定されている。骨を前方開口形状に塑性変形させ、椅子に座った人のひざが出入り可能な前方開口状空間部を形成する。
【００１１】
図２は、膝掛けを平面に広げた構造図である。骨を曲げる前の形状を示す。図の下側が足が出入りする側である。四角形の生地１が、逆Ｔ字状の骨２に、固定具３によって固定されている。使用時は、骨が変形し、骨の３つの先端が床との着地点となる。骨の材料としては、アルミ、錫、銅など、手で塑性変形可能な材料を用いる。固定具は、リング状の布を生地に縫い付け、リング状の布に骨を通している。または、変形後、洗濯ばさみ状の物で固定する。
【００１２】
図３は、骨を様々な形に変形した例である。左図は、足の出入りする側の２本がアーチ状に変形し、奥の１本が支える単純な例である。右図は、机の高さ、椅子の高さ、利用者の好みにより、形を変えた例である。
【符号の説明】
【００１３】
１    膝掛けの生地
２    骨
３    固定具
【図１】
2016113707.tif 000003
【図２】
2016113707.tif 000004
【図３】
2016113707.tif 000005
(57)【要約】【課題】本発明は後アオリ戸の上端及び下端を開閉可能とすることで、長尺物の積載を可能にするとともに、箱の四隅に着いた土砂の落下を可能とする後アオリ戸開閉機構を提供する。【解決手段】後アオリ戸開閉機構1は、箱110の後端側に設けられ、その先端側から上下方向にシリンダシャフト11を駆動し基端が回動自在に取り付けられた駆動装置10と、シリンダシャフト11の先端に回動自在に―端が接続された第1ア−ム20と、ダンプカ−100の箱110側方に設けられた横アオリ120の後端において、上方に立設し、後方側の隅みが横アオリ120後端に回動自在に接続され、前方側の隅みが第1ア−ム20の他端に回動自在に接続されたプレ−ト30と、プレ−ト30の上端に―端が回動自在に接続され、後アオリ戸111の上端に他端が回動自在に接続された第2ア−ム40と、を備える。【選択図】  図１
2016113034.tif 000002
【特許請求の範囲】
【請求項１】
ダンプカ−の箱後方に設けられた、下側が開閉自在の後アオリ戸の上端に側に接続され、後アオリ戸の上端を開閉する、後アオリ戸開閉機構であって、
箱の後端側に設けられ、その先端側から上下方向にシリンダシャフトを駆動し基端が回動自在に取り付けられた駆動装置と、
シリンダシャフトの先端に回動自在に―端が接続された第1ア−ムと、
ダンプカ−の箱側方に設けられた横アオリの後端において、上方に立設し、後方側の隅みが横アオリ後端に回動自在に接続され、前方側の隅みが第1ア−ムの他端に回動自在に接続されたプレ−トと、
プレ−トの上端に―端が回動自在に接続され、後アオリ戸の上端に他端が回動自在に接続された第2ア−ムと、を備える後アオリ戸開閉機構。
【発明の詳細な説明】
【技術分野】
【０００１】
ダンプカーの箱後方に設けられた上側が開閉自在の後アオリ戸を開閉する後アオリ戸開閉機構に関する。
【背景技術】
【０００２】
従来、ダンプカ−の箱の後方には、上端側が回動自在に軸支され下端側が開く、後アオリ戸が設けられている。このようなダンプでは、ダンプアップすると箱に積載された土砂が箱の床とアオリ戸との間から落下する。ところが、後アオリ戸は、上端が横アオリ戸に軸支されるため、上端側を外方向へ倒し、後アオリ戸を箱の床とフラットすることができない。このため、箱より長い、長尺物、例えば、敷き鉄板を積むことができない。
【０００３】
そこで、ダンプカーの後アオリ戸開閉機構として、例えば特許文献1には、上端部側から外方向へ自重で開くように下端部が第1の固定軸を介して荷台に軸支されたリアドアと台車にの固定軸を介して下端部されたリンクと、この上端部に第一可動軸を介して一端部が軸支され、一方、他端部はリアドアの下端部の突出軸受け部に軸支された第２リンクと、を備えるダンプカーのリアドア開閉装置が提案されている。このような特許文献1のリアドア開閉装置によれば、リアドアを、その下端部を軸支する固定軸を中心に上端部側から外方向へ開くことができる。
【先行技術文献】
【特許文献】
【０００４】
【特許文献１】特開平7-164952号公報
【発明の概要】
【発明が解決しようとする課題】
【０００５】
ところで、下端から外方向へ開く後アオリ戸は、以下のように使用される場合がある。土砂捨て場でダンプカーの箱を上げたときに、少し前に出して急ブレーキをかけると、後アオリ戸の下端がいきおいよく箱の後端に衝突、箱を振動させることで、箱の四隅に着いた土砂が落ちる,しかしながら、特許文献1のリアドア開閉装置は上端が開くものの、下端が開かないので、箱の四隅に着いた土砂を落とすことができない。
【０００６】
本発明は後アオリ戸の上端及び下端を開閉可能とすることで、長尺物の積載を可能にするとともに、箱の四隅に着いた土砂の落下を可能とする後アオリ戸開閉機構を提供することを目的とする。                                                              
【課題を解決するための手段】
【０００７】
ダンプカ−の箱後方に設けられた、下側が開閉自在の後アオリ戸の上端に側に接続され、後アオリ戸の上端を開閉する、後アオリ戸開閉機構であって、箱の後端側に設けられ、その先端側から上下方向にシリンダシャフトを駆動し基端が回動自在に取り付けられた駆動装置と、シリンダシャフトの先端に回動自在に―端が接続された第1ア−ムと、ダンプカ−の箱側方に設けられた横アオリの後端において、上方に立設し、後方側の隅みが横アオリ後端に回動自在に接続され、前方側の隅みが第1ア−ムの他端に回動自在に接続されたプレ−トと、プレ−トの上端に―端が回動自在に接続され、後アオリ戸の上端に他端が回動自在に接続された第2ア−ムと、を備える後アオリ戸開閉機構。
【発明の効果】
【０００８】
本発明によれば、本発明は後アオリ戸の上端及び下端を開閉可能とすることで、長尺物の積載を可能にするとともに、箱の四隅に着いた土砂の落下を可能とする後アオリ戸開閉機構を提供できる。
【図面の簡単な説明】
【０００９】
【図１】本発明の実施形態に係る積載土砂落下装置を側面から視た図である。
【図２】図1に示す状態から、ダンプカ−の荷台がダンプアップした状態における本実施形態に係る積載土砂落下装置を側面から視た図である。
【図３】図1に示す状態から、ダンプカ−の荷台がダンプアップした状態における本実施形態に係る積載土砂落下装置を上面から視た図である。
【発明を実施するための形態】
【００１０】
後アオリ戸開閉機構1は、ダンプカ−100の箱110後方に設けられた、下側が開閉自在の後アオリ戸111の上端に側に接続され、後アオリ戸111の上端を開閉する。
後アオリ戸開閉機構1は、箱110の後端側に設けられ、その先端側から上下方向にシリンダシャフト11を駆動し基端が回動自在に取り付けられた駆動装置10と、シリンダシャフト11の先端に回動自在に―端が接続された第1ア−ム20と、ダンプカ−100の箱110側方に設けられた横アオリ120の後端において、上方に立設し、後方側の隅みが横アオリ120後端に回動自在に接続され、前方側の隅みが第1ア−ム20の他端に回動自在に接続されたプレ−ト30と、プレ−ト30の上端に―端が回動自在に接続され、後アオリ戸111の上端に他端が回動自在に接続された第2ア−ム40と、を備える。
【符号の説明】
【００１１】
1  後アオリ戸開閉機構
10   駆動装置
11  シリンダシャフト
20  第1ア−ム 
30  プレ−ト
40  第2ア−ム
100  ダンプカ−
110  箱
111  後アオリ戸  
120  横アオリ  
【図１】
2016113034.tif 000003
【図２】
2016113034.tif 000004
【図３】
2016113034.tif 000005